(57)【要約】【課題】携帯電話の通信品質を通信の速さを示す仕組みを提供する。【解決手段】通信状態情報生成装置は通信端末の位置を示す端末位置情報を取得する位置情報取得部と、特定の位置と対応付けられた通信端末の通信の状態を示す通信状態情報を取得する通信状態情報取得部と、位置情報取得部が取得する端末位置情報と、通信状態情報取得部が取得する通信状態情報とに基づいて、通信端末の位置に応じた通信の速さを示す通信速さ情報を生成する速さ情報生成部とを備える。【選択図】図１
2018056936.tif 000002
【特許請求の範囲】
【請求項１】
通信端末の位置を示す端末位置情報を取得する位置情報取得部と、
特定の位置と対応付けられた前記通信端末の通信の状態を示す通信状態情報を取得する通信状態情報取得部と、
前記位置情報取得部が取得する前記端末位置情報と、前記通信状態情報取得部が取得する前記通信状態情報とに基づいて、前記通信端末の位置に応じた通信の速さを示す通信速さ情報を生成する速さ情報生成部と
を備える通信状態情報生成装置。
【請求項２】
前記通信状態情報取得部は、
前記通信端末の位置又は前記通信端末の位置の変化に応じた前記通信状態情報を取得する
請求項１に記載の通信状態情報生成装置。
【請求項３】
前記通信状態情報取得部は、
前記通信端末の位置が屋内を示す場合には、前記通信端末内の情報、
前記通信端末の位置が移動中を示す場合には、過去の統計情報、
前記通信端末の位置が屋外を示す場合には、前記通信端末が接続する基地局の情報のうち少なくとも１つを取得し、
前記速さ情報生成部は、
前記端末位置情報と、前記通信状態情報取得部が取得する前記通信端末内の情報、前記過去の統計情報及び前記基地局の情報のうち少なくとも１つとに基づいて、前記通信速さ情報を生成する
請求項２に記載の通信状態情報生成装置。
【請求項４】
前記速さ情報生成部が生成する前記通信速さ情報と、前記位置情報取得部が取得する前記端末位置情報と、前記通信状態情報取得部が取得する前記通信状態情報とに基づいて、前記端末の位置に応じた通信の速さを予測する速さ予測部
を更に備える請求項３に記載の通信状態情報生成装置。
【請求項５】
前記通信状態情報は、通信の速さの改善を示す、速さ改善情報である
請求項１から請求項４のいずれか一項に記載の通信状態情報生成装置。
【請求項６】
コンピュータに、
通信端末の位置を示す端末位置情報を取得する位置情報取得ステップと、
特定の位置と対応付けられた前記通信端末の通信の状態を示す通信状態情報を取得する通信状態情報取得ステップと、
前記位置情報取得ステップによって取得される前記端末位置情報と、前記通信状態情報取得ステップによって取得される前記通信状態情報とに基づいて、前記通信端末の位置に応じた通信の速さを示す通信速さ情報を生成する速さ情報生成ステップと
を実行させるための通信状態情報生成プログラム。
【発明の詳細な説明】
【技術分野】
【０００１】
本発明は、通信状態情報生成装置及び通信状態情報生成プログラムに関する。
【背景技術】
【０００２】
従来、無線基地局を制御することにより携帯電話等の通信端末装置に提供される通信品質が、所定の品質に保たれるような仕組みが知られている（例えば、特許文献１）。
【先行技術文献】
【特許文献】
【０００３】
【特許文献１】特開２０１４−１０７６７２号公報
【発明の概要】
【発明が解決しようとする課題】
【０００４】
通信品質には、無線基地局から出力される電波を携帯電話が取得した際の電界の強さとして示す場合と、当該携帯電話が当該無線基地局を介して通信する際の通信の速さとして示す場合とがある。従来、通信品質を電界の強さとして示す仕組みは存在したが、通信の品質を通信の速さとして示す仕組みが存在していなかった。
本発明は、上記問題に鑑みて為されたものであり、携帯電話の通信品質を通信の速さとして示す仕組みを提供することを目的とする。
【課題を解決するための手段】
【０００５】
（１）本発明の一態様は、通信端末の位置を示す端末位置情報を取得する位置情報取得部と、特定の位置と対応付けられた前記通信端末の通信の状態を示す通信状態情報 を取得する通信状態情報取得部と、前記位置情報取得部が取得する前記端末位置情報と、前記通信状態情報取得部が取得する前記通信状態情報とに基づいて、前記通信端末の位置に応じた通信の速さを示す通信速さ情報を生成する速さ情報生成部とを備える、通信状態情報生成装置である。
【０００６】
（２）本発明の一態様は、上記（１）の通信状態情報生成装置において、前記通信状態情報取得部は、前記通信端末の位置又は前記通信端末の位置の変化に応じた前記通信状態情報を取得する、通信状態情報生成装置である。
【０００７】
（３）本発明の一態様は、上記（２）に記載の通信状態情報生成装置において、前記通信状態情報取得部は、前記通信端末の位置が屋内を示す場合には、前記通信端末内の情報、前記通信端末の位置が移動中を示す場合には、過去の統計情報、前記通信端末の位置が屋外を示す場合には、前記通信端末が接続する基地局の情報のうち少なくとも１つを取得し、前記速さ情報生成部は、前記端末位置情報と、前記通信状態情報取得部が取得する前記通信端末内の情報、前記過去の統計情報及び前記基地局の情報のうち少なくとも１つとに基づいて、前記通信速さ情報を生成する、通信状態情報生成装置である。
【０００８】
（４）本発明の一態様は、上記（３）に記載の通信状態情報生成装置において、前記速さ情報生成部が生成する前記通信速さ情報と、前記位置情報取得部が取得する前記端末位置情報と、前記通信状態情報取得部が取得する前記通信状態情報とに基づいて、前記端末の位置に応じた通信の速さを予測する速さ予測部を更に備える、通信状態情報生成装置である。
【０００９】
（５）本発明の一態様は、上記（１）から（４）のいずれか一項に記載の通信状態情報生成装置において、前記通信状態情報は、通信の速さの改善を示す、速さ改善情報である、通信状態情報生成装置である。
【００１０】
（６）本発明の一態様は、コンピュータに、通信端末の位置を示す端末位置情報を取得する位置情報取得ステップと、特定の位置と対応付けられた前記通信端末の通信の状態を示す通信状態情報を取得する通信状態情報取得ステップと、前記位置情報取得ステップによって取得される前記端末位置情報と、前記通信状態情報取得ステップによって取得される前記通信状態情報とに基づいて、前記通信端末の位置に応じた通信の速さを示す通信速さ情報を生成する速さ情報生成ステップとを実行させるための、通信状態情報生成プログラムである。
【発明の効果】
【００１１】
本発明によれば、携帯電話の通信品質を通信の速さとして示す仕組みを提供することができる。
【図面の簡単な説明】
【００１２】
【図１】第１の実施形態に係る通信状態情報生成システムの概要の一例を示す図である。
【図２】通信状態情報の一例を示す図である。
【図３】通信端末の位置の一例を示す図である。
【図４】通信状態情報生成装置の構成の一例を示す図である。
【図５】通信状態情報生成装置の動作の一例を示す流れ図である。
【図６】ある位置の通信速さ情報の時間変化と通信速さアイコン一例を示す図である。
【図７】通信端末が通信速さ情報に基づいて生成した画像情報を表示した一例を示す図である。
【図８】第２の実施形態に係る通信状態情報生成装置の構成の一例を示す図である。
【図９】速さ情報生成部が生成する通信速さ情報に基づいて生成される画像情報の一例を示す図である。
【図１０】通信状態情報生成装置の動作の一例を示す図である。
【図１１】第３の実施形態に係る通信状態情報生成装置の構成の一例を示す図である。
【発明を実施するための形態】
【００１３】
＜第１の実施形態＞
以下、図面を参照して通信状態情報生成システムの第１の実施形態について説明する。
＜通信状態情報生成システムの概要について＞
図１は、第１の実施形態に係る通信状態情報生成システム１００の概要の一例を示す図である。
【００１４】
通信状態情報生成システム１００は、通信端末２と、通信網４と、サーバ５と、基地局３と、通信状態情報生成装置１０とを備える。
通信端末２は、基地局３と無線通信する。通信端末２は、基地局３を介して通信網４に接続された装置と通信を行う。通信端末２とは、携帯電話、スマートフォン及びタブレット型のコンピュータ（タブレットＰＣ）等の携帯型のパーソナルコンピュータ等である。通信端末２は、基地局３を介して、通信網４と接続されたサーバ５等の装置との無線通信を行う。
【００１５】
通信端末２は、表示部２１と位置測定部２２とを備える。表示部２１は、通信端末２を操作する操作者に対して情報を表示する。具体的には、表示部２１とは、液晶ディスプレイである。位置測定部２２は、通信端末２の位置を測定する。位置測定部２２は、例えば、通信端末２と、通信網４とを接続する基地局３の情報に基づいて、Ａ−ＧＰＳ（Ａｓｓｉｓｔｅｄ−Ｇｌｏｂａｌ  Ｐｏｓｉｔｉｏｎｉｎｇ  Ｓｙｓｔｅｍ）によって通信端末２の位置を測定する。なお、位置測定部２２は、Ａ−ＧＰＳによって通信端末２の位置を測定する構成に代えて、ＧＰＳ（Ｇｌｏｂａｌ  Ｐｏｓｉｔｉｏｎｉｎｇ  Ｓｙｓｔｅｍ）又は、準天頂衛星（ｑｕａｓｉ−ｚｅｎｉｔｈ  ｓａｔｅｌｌｉｔｅｓ：  ＱＺＳ）等の全地球航法衛星システム（Ｇｌｏｂａｌ  Ｎａｖｉｇａｔｉｏｎ  Ｓａｔｅｌｌｉｔｅ  Ｓｙｓｔｅｍ（ｓ）：  ＧＮＳＳ）よって通信端末２の位置を測定してもよい。位置測定部２２は、通信端末２の位置を示す情報として、緯度及び経度を出力する。また、位置測定部２２は、ＧＰＳが衛星からの電波を受信することができない屋内や地下に通信端末２がある場合には、通信端末２と接続された基地局３から出力される基地局の位置を示す情報又は基地局を識別する情報を、通信端末２の位置を示す情報として出力する。位置測定部２２は、上述した位置測定方法に限られず、通信端末２が検出する無線電波から取得する情報に基づいて、通信端末２の位置を測定してもよい。
【００１６】
通信網４とは、無線通信網、当該無線通信網と接続される有線通信網及びインターネット等の通信網である。無線通信網とは、例えば、ＬＴＥ（Ｌｏｎｇ  Ｔｅｒｍ  Ｅｖｏｌｕｔｉｏｎ）方式等の通信方式の通信を行う携帯電話ネットワークである。無線通信は、ＬＴＥ方式にしたがって構築された通信網に限られず、ＬＴＥ方式にしたがって構築された通信網以外の３Ｇ方式等の通信網であってもよい。有線通信網とは、有線接続により接続された機器が構成する通信網である。
サーバ５は、通信網４と接続される。サーバ５は、通信網４を介して他の装置と通信を行う。この一例では、サーバ５は、通信端末２と通信を行う。
【００１７】
基地局３は、通信端末２と無線により接続される。基地局３は、通信端末２と通信網４に接続されるサーバ５との通信を制御する。通信網４には複数の基地局が接続される。通信端末２は、通信端末２が無線通信可能な範囲内に存在する基地局３と接続する。通信端末２は、基地局３及び通信網４を介してサーバ５と通信する。
【００１８】
ここで、基地局３が接続された通信端末の通信を制御する一例について説明する。基地局３には、複数の通信端末が接続される。基地局３は、基地局３と接続された複数の通信端末のそれぞれに対して、通信端末が基地局３と通信を行う頻度や、通信端末が基地局３と一度に通信するデータの量である通信量の割り当てを行う。通信を行う頻度が多いほど、通信端末２と基地局３との間の通信の頻度が多い。通信量の割り当てが多いほど、通信端末２と基地局３との間の通信量が多い。言い換えると、基地局３は、接続される通信端末に対して、通信リソースの割り当てを行う。具体的には、基地局３は、接続された通信端末から基地局３に対しての通信を、時分割複信（ＴＩＭＥ  ＤＩＶＩＳＩＯＮ  ＤＵＰＬＥＸ：ＴＤＤ）方式等によって通信リソースの割り当てを行う。以下の説明では、基地局３が、接続された複数の通信端末に対して、通信リソースの割り当てを行うことを、スケジューリングとも記載する。基地局３は、スケジューリングを行い、通信端末２とサーバ５との通信を制御する。基地局３から通信リソースが多く割り当てられた通信端末２の通信の速さは速い。基地局３から通信リソースが少なく割り当てられた通信端末２の通信の速さは遅い。通信の速さは、上述した基地局３から割り当てられた通信リソースの量に限られず、天候、他の無線信号からの干渉等によっても変化する。
【００１９】
通信状態情報生成装置１０は、通信端末２の通信の速さを示す通信速さ情報を生成する。通信端末２の通信の速さとは、通信端末２と基地局３又はサーバ５との通信の速さである。通信端末２の無線通信の電界の強さは、通信の速さとは異なる。以下の説明では、無線通信の電界の強さの事を電界強度とも記載する。例えば、通信端末２と基地局３との間に無線通信の電波を遮蔽する遮蔽物が存在する場合には、通信端末２と基地局３との間に遮蔽物が存在しない場合と比較して、通信端末２と基地局３との電界強度は弱い。
【００２０】
通信端末２と基地局３との電界強度が強い場合でも、基地局３に接続された通信端末の数が多い場合には、基地局３に接続された通信端末にスケジューリングされる通信量や通信を行う頻度の割り当てが少なくなり、通信端末２と当該基地局３を介して通信するサーバ５との通信の速さが遅い場合がある。ここで、通信の速さが遅いとは、無線信号の周波数や、通信端末の通信処理の性能等から期待される通信の速さよりも遅いことである。
【００２１】
通信端末２と基地局３との電界強度が弱い場合でも、基地局３に接続された通信端末の数が少ない場合には、基地局３に接続された通信端末にスケジューリングされる通信量や通信を行う頻度の割り当てが多くなり、通信端末２と当該基地局３を介して通信するサーバ５との通信の速さが速い場合がある。ここで、通信の速さが速いとは、無線信号の周波数や、通信端末の通信処理の性能等から期待される通信の速さが得られていることである。つまり、電界強度の強さでは、通信の速さを表現することができない。
【００２２】
上述したように、通信端末２は、通信端末２が無線通信可能な範囲内に存在する基地局３と接続する。
通信状態情報生成装置１０は、通信端末２の位置と、通信端末２の位置と対応付けられた通信状態情報にと基づいて、通信速さ情報を生成する。通信速さ情報とは、通信端末２の位置に応じた通信の速さを示す情報である。
【００２３】
＜通信状態情報について＞
次に、図２から図３を参照して、通信状態情報について説明する。
図２は、通信状態情報の一例を示す図である。
図３は、通信端末２の位置の一例を示す図である。
【００２４】
通信状態情報とは、特定の位置と対応付けられた通信端末の通信の状態を示す情報である。特定の位置とは、通信端末２の位置と対応する位置である。対応する位置を言い換えると、通信状態情報は、通信端末２の位置毎に存在する。通信端末２がある地域に置かれた場合、当該地域の位置の通信状態情報が存在する。
通信状態情報ＴＳＩは、図２に示すように、横軸に時刻、縦軸に通信の状態をもつグラフによって表すことができる。通信状態情報ＴＳＩには、この一例では、通信状態情報ＴＳＩ１から通信状態情報ＴＳＩｎまでが含まれる。
【００２５】
この一例では、図２に示す位置ＰＯＳ１、位置ＰＯＳ２及び位置ＰＯＳ３が特定の位置である。位置ＰＯＳ１から位置ＰＯＳ３までのそれぞれの位置と対応する通信状態情報がある。具体的には、図３に示すように、位置ＰＯＳ１と対応付けられた通信状態情報とは、通信状態情報ＴＳＩ１である。位置ＰＯＳ２と対応付けられた通信状態情報とは、通信状態情報ＴＳＩ２である。位置ＰＯＳ３と対応付けられた通信状態情報とは、通信状態情報ＴＳＩｎである。
【００２６】
図２に戻り、通信状態情報ＴＳＩと、通信の速さとの関係について説明する。
通信状態情報ＴＳＩ１に含まれる曲線Ｗ１には、時刻が”７：３０”に、通信の状態が”７０”である。つまり、位置ＰＯＳ１は、時刻”７：３０”に、最も通信の状態が悪いことを示している。通信の状態が悪いとは、位置ＰＯＳ１の位置にある通信端末とサーバ５との通信の速さが遅い状態である。
また、通信状態情報ＴＳＩ１に含まれる曲線Ｗ１には、時刻が”３：００”に、通信の状態が”５”である。つまり、位置ＰＯＳ１は、時刻”３：００”に、最も通信の状態が良いことを示している。通信の状態が良いとは、位置ＰＯＳ１の位置にある通信端末とサーバ５との通信の速さが速い状態である。
【００２７】
＜通信状態情報の生成について＞
通信状態情報は、通信状態情報を生成する装置毎に、異なる情報に基づいて生成される。具体的には、通信端末２は、通信端末２と無線接続する基地局３から割り当てられるスケジュールに基づいて、通信状態情報を生成する。具体的には、通信端末２は、基地局３から割り当てられたスケジュールと、当該スケジュールが割り当てられた時刻と、当該スケジュールが割り当てられた位置を示す情報とに基づいて、通信状態情報を生成する。なお、通信端末２は、単位時間あたりに基地局３に対して送信した通信の通信量に基づいて、通信状態情報を生成してもよい。通信端末２は、通信端末２と基地局３との通信遅延時間、信号体干渉雑音比、再送回数又はデータ誤り率等の情報と、通信端末２に記憶される所定の評価値とに基づいて、通信状態情報を生成してもよい。
【００２８】
通信端末２は、一定の時間間隔を空け、定期的に通信状態情報を生成する。通信端末２は、スケジュールの更新に併せて、通信状態情報を生成してもよい。通信端末２は、スケジュールされた通信量又は通信を行う頻度の変化に併せて、通信状態情報を生成してもよい。
【００２９】
基地局３は、接続される通信端末の数、接続される通信端末が通信する頻度、接続される通信端末が通信する通信量等に基づいて、通信状態情報を生成する。具体的には、基地局３は、接続される通信端末の数、接続される通信端末が通信する頻度、接続される通信端末が通信する通信量等と、時刻とに基づいて、通信状態情報を生成する。基地局３は、過去の通信状態情報を蓄積してもよい。基地局３は、蓄積した過去の通信状態情報に基づいて、通信状態の統計情報を算出し、通信状態情報として生成してもよい。
【００３０】
基地局３は、一定の時間間隔を空けて、定期的に通信状態情報を生成してもよく、スケジュールの更新に併せて、通信状態情報ＴＳＩを生成してもよい。また、基地局３は、生成した通信状態情報を通信端末２又は通信状態情報生成装置１０に対して出力してもよい。
【００３１】
通信状態情報生成装置１０は、通信網４と接続される複数の基地局や、通信端末２から通信状態情報を収集し、通信状態情報ＴＳＩを生成してもよい。
なお、通信状態情報ＴＳＩは、基地局３が備える通信状態情報記憶装置３１に記憶される。
【００３２】
＜通信状態情報生成装置１０の構成＞
次に、図４を参照して、通信状態情報生成装置１０の構成の一例について説明する。
図４は、通信状態情報生成装置１０の構成の一例を示す図である。
通信状態情報生成装置１０は、位置情報取得部１１と、通信状態情報取得部１２と、速さ情報生成部１３とを備える。
【００３３】
位置情報取得部１１は、位置測定部２２から端末位置情報ＰＩを取得する。位置情報取得部１１は、位置測定部２２から取得する端末位置情報ＰＩを、速さ情報生成部１３に対して出力する。
【００３４】
なお、位置情報取得部１１が取得する端末位置情報ＰＩは、通信端末２の位置を示す情報に限られず、特定の住所や、特定の緯度及び経度の情報であってもよい。この場合には、通信状態情報生成装置１０は、位置情報取得部１１が取得した特定の住所や特定の経度及び緯度と対応する位置の通信速さ情報ＳＩを出力する。
【００３５】
なお、基地局は、異なる種別の通信メディアに対応するものであってもよい。例えば、基地局は、セルラ通信ネットワークに対してはセルラ通信基地局であり、高速無線通信ネットワークに対してはアクセスポイントである。高速無線通信ネットワークとしては、例えば、無線ＬＡＮ（Ｗｉｒｅｌｅｓｓ  Ｌｏｃａｌ  Ａｒｅａ  Ｎｅｔｗｏｒｋ）、無線ＭＡＮ（Ｗｉｒｅｌｅｓｓ  Ｍｅｔｒｏｐｏｌｉｔａｎ  Ａｒｅａ  Ｎｅｔｗｏｒｋ）等が挙げられる。
位置情報取得部１１が取得する端末位置情報ＰＩは、基地局毎に予め決められた基地局を識別する情報、通信端末２が接続したアクセスポイントを識別する情報であってもよい。通信状態情報生成装置１０が取得した端末位置情報ＰＩが、基地局又はアクセスポイントを識別する情報の場合には、通信状態情報生成装置１０は、当該識別する情報に基づいて、当該識別する情報が示す基地局又はアクセスポイントと対応する位置を決定する。通信状態情報生成装置１０は、決定した基地局又はアクセスポイントと対応する位置の通信速さ情報ＳＩを出力する。
【００３６】
通信状態情報取得部１２は、基地局３が備える通信状態情報記憶装置３１から、通信状態情報ＴＳＩを取得する。通信状態情報記憶装置３１には、通信状態情報ＴＳＩが記憶される。通信状態情報取得部１２は、通信状態情報記憶装置３１から取得した通信状態情報ＴＳＩを、速さ情報生成部１３に対して出力する。
【００３７】
なお、通信状態情報取得部１２は、位置情報取得部１１が取得する端末位置情報ＰＩと対応する通信状態情報を、通信状態情報記憶装置３１から取得してもよい。端末位置情報ＰＩと対応する位置の通信状態情報を通信状態情報記憶装置３１から取得する場合には、通信状態情報取得部１２は、位置情報取得部１１から端末位置情報ＰＩを取得し、端末位置情報ＰＩと対応する位置の通信状態情報を取得する。
【００３８】
速さ情報生成部１３は、位置情報取得部１１から端末位置情報ＰＩを取得する。速さ情報生成部１３は、通信状態情報取得部１２から通信状態情報ＴＳＩを取得する。速さ情報生成部１３は、端末位置情報ＰＩと、通信状態情報ＴＳＩとに基づいて、通信端末２の位置に応じた通信の速さを示す通信速さ情報ＳＩを生成する。通信速さ情報ＳＩとは、上述したように、通信端末２の位置に応じた通信の速さを示す情報である。
【００３９】
なお、この一例では、速さ情報生成部１３が生成する通信速さ情報ＳＩと対応する位置は、通信端末２が備える位置測定部２２が測定する通信端末２の位置の場合について説明するが、位置はこれに限られない。速さ情報生成部１３が生成する通信速さ情報ＳＩと対応する位置は、位置情報取得部１１が取得する位置であればよく、通信端末２が通信状態情報生成装置１０に対して出力する端末位置情報ＰＩが通信端末２の現在の位置と異なる位置を示す場合には、速さ情報生成部１３は、端末位置情報ＰＩが示す位置の通信速さ情報ＳＩを生成する。
【００４０】
より具体的には、上述した図３に示す位置ＰＯＳ１にある通信端末２が、通信状態情報生成装置１０に対して位置ＰＯＳ２の位置を示す情報を端末位置情報ＰＩとして出力する場合には、通信状態情報生成装置１０は、位置ＰＯＳ２に応じた通信速さ情報ＳＩを生成する。
【００４１】
速さ情報生成部１３は、生成した通信速さ情報ＳＩを、通信端末２に対して出力する。通信端末２は、速さ情報生成部１３から通信速さ情報ＳＩを取得する。通信端末２は、取得した通信速さ情報ＳＩに基づいて、画像情報を生成する。通信端末２は、生成した画像情報を表示部２１に表示させる。
【００４２】
＜通信状態情報生成装置１０の動作の概要＞
次に、図５を参照して、通信状態情報生成装置１０の動作の概要について説明する。
図５は、通信状態情報生成装置１０の動作の一例を示す流れ図である。
【００４３】
位置情報取得部１１は、通信端末２が備える位置測定部２２から端末位置情報ＰＩを取得する（ステップＳ１１０）。位置情報取得部１１は、位置測定部２２から取得した端末位置情報ＰＩを速さ情報生成部１３に対して出力する。
【００４４】
通信状態情報取得部１２は、通信状態情報記憶装置３１から通信状態情報ＴＳＩを取得する（ステップＳ１２０）。通信状態情報取得部１２は、通信状態情報記憶装置３１から取得した通信状態情報ＴＳＩを、速さ情報生成部１３に対して出力する。
【００４５】
速さ情報生成部１３は、位置情報取得部１１から端末位置情報ＰＩを取得する。速さ情報生成部１３は、通信状態情報取得部１２から通信状態情報ＴＳＩを取得する。速さ情報生成部１３は、端末位置情報ＰＩを対応する位置の通信状態情報を選択する。速さ情報生成部１３は、選択した端末位置情報ＰＩと対応する位置の通信状態情報に基づいて、通信速さ情報ＳＩを生成する（ステップＳ１３０）。
【００４６】
速さ情報生成部１３は、生成した通信速さ情報ＳＩを、通信端末２に対して出力する（ステップＳ１４０）。
【００４７】
通信端末２は、速さ情報生成部１３が出力した通信速さ情報ＳＩを取得する。通信端末２は、速さ情報生成部１３から取得した通信速さ情報ＳＩに基づいて、画像情報を生成する。通信端末２は、生成した画像情報を表示部２１に表示させる。
【００４８】
なお、通信状態情報生成装置１０は、上述したステップＳ１１０及び、ステップＳ１２０の処理は、どちらの処理を先に行ってもよい。
【００４９】
＜通信状態情報生成装置１０の動作の具体例＞
次に、図６から図７を参照して、通信状態情報生成装置１０の動作の具体例について説明する。
図６は、ある位置の通信速さ情報ＳＩの時間変化と通信速さアイコンＩＣＯＮの一例を示す図である。
図７は、通信端末２が通信速さ情報ＳＩに基づいて生成した画像情報を表示した一例を示す図である。
【００５０】
図６に示すように、ある位置では、時刻”０：００”から時刻”６：３０”の間は、通信速さ情報ＳＩが示す通信の状態は、閾値ＴＨ＿Ｍよりも低い。言い換えると、時刻”０：００”から時刻”６：３０”の間は、通信速さ情報ＳＩが示す通信の状態は、通信端末２と接続された基地局３が混雑せず、通信の速さが速い状態である。
【００５１】
時刻”６：３０”から時刻”７：３０”の間は、通信速さ情報ＳＩが示す通信の状態は、閾値ＴＨ＿Ｍよりも高く、閾値ＴＨ＿Ｈよりも低い。言い換えると、時刻”６：３０”から時刻”７：３０”の間は、通信速さ情報ＳＩが示す通信の状態は、基地局３が混雑する場合があり、一時的に通信の速さが遅くなることがある状態である。
【００５２】
時刻”７：３０”から時刻”８：３０”の間は、通信速さ情報ＳＩが示す通信の状態は、閾値ＴＨ＿Ｈよりも高い。言い換えると、時刻”７：３０”から時刻”８：３０”の間は、通信速さ情報ＳＩが示す通信の状態は、通信端末２と接続された基地局３が混雑して、通信の速さが遅い状態である。
【００５３】
閾値ＴＨ＿Ｍ及び閾値ＴＨ＿Ｈとは、通信端末２毎に予め決められた値である。通信端末２の通信の速さを速いと感じるか、遅いと感じるかは通信端末２を操作するユーザの感性に因ることがある。つまり、ユーザ毎に通信が速いと感じる通信の速さと、通信が遅いと感じる通信の速さは異なる場合がある。閾値ＴＨ＿Ｍ及び閾値ＴＨ＿Ｈは、通信端末２を操作するユーザによって入力されることにより決められてもよい。
【００５４】
通信端末２は、通信状態情報生成装置１０から取得した通信速さ情報ＳＩが示す通信の状態に応じた画像情報を表示部２１に表示させる。通信の状態に応じた画像情報とは、図６に示す太陽の意匠の通信速さアイコンＩＣＯＮ１、雲の意匠の通信速さアイコンＩＣＯＮ２及び、雨降りの意匠の通信速さアイコンＩＣＯＮ３である。
【００５５】
通信端末２は、天気予報等で使用される画像を、通信速さアイコンに用いることにより、通信端末２を操作するユーザに対して、通信の速さの状態を直感的に示すことができる。
【００５６】
ここで、通信の状態が、閾値ＴＨ＿Ｍよりも低い通信速さ情報ＳＩを取得した通信端末２は、図７（ａ）に示すように画像情報を表示部２１に表示させる。この一例では、通信端末２は、電波強度アイコンＲＷＩ１の横に、通信速さアイコンＩＣＯＮ４を表示させ、ユーザに対して通信の速さが速いことを示している。
【００５７】
また、通信の状態が、閾値ＴＨ＿Ｍに近い通信速さ情報ＳＩを取得した通信端末２は、図７（ｂ）に示すように画像情報を表示部２１に表示させてもよい。この一例では、通信端末２は、電波強度アイコンＲＷＩ２の横に、通信速さアイコンＩＣＯＮ５を表示させ、ユーザに対して通信の速さが遅くなる場合があることを示している。
【００５８】
＜第１の実施形態のまとめ＞
上述したように、通信状態情報生成装置１０は、位置情報取得部１１と、通信状態情報取得部１２と、速さ情報生成部１３とを備える。位置情報取得部１１は通信端末２から通信端末２の位置を示す情報である端末位置情報ＰＩを取得する。通信状態情報取得部１２は、通信状態情報記憶装置３１から特定の位置と対応付けられた通信端末２の通信の状態を示す通信状態情報ＴＳＩを取得する。速さ情報生成部１３は、端末位置情報ＰＩと、通信状態情報ＴＳＩとに基づいて、通信端末２の位置に応じた通信の速さを示す通信速さ情報ＳＩを生成する。速さ情報生成部１３は、生成した通信速さ情報ＳＩを通信端末２に対して出力する。通信端末２は、通信状態情報生成装置１０から通信速さ情報ＳＩを取得する。通信端末２は、取得した通信速さ情報ＳＩに基づいて画像情報を表示する。
【００５９】
通信状態情報生成装置１０は、通信端末２の位置に応じて通信速さ情報ＳＩを生成することができるため、通信端末２を操作するユーザは、現在の位置の通信の速さを知ることができる。これにより、通信端末２を操作するユーザは、通信する内容を選択することができる。具体的には、通信端末２を操作するユーザは、通信の速さが速い場合には、動画等の、通信量が大きなデータ通信が継続して発生するコンテンツの通信を選択することができる。通信端末２を操作するユーザは、通信の速さが遅い場合には、テキストデータ等のデータ通信の通信量が少ないコンテンツの通信を選択することができる。つまり、ユーザは、予め通信の速さを知ることができ、通信の速さに適したコンテンツを選択することにより、快適に通信端末２を利用することができる。
【００６０】
なお、通信状態情報生成装置１０は、通信端末２からの指示に応じて通信速さ情報ＳＩを生成してもよい。通信端末２は、定期的に通信速さ情報ＳＩを生成させてもよい。通信端末２は、定期的に通信速さ情報ＳＩを生成させる場合には、所定の通信の状態の場合に、ユーザに対して、通信の速さを通知してもよい。
【００６１】
また、通信端末２は、ユーザが、通信端末２にインストールされたアプリケーションを使用開始するときに通信速さ情報ＳＩを生成させてもよい。通信端末２は、通信端末２が移動されずに、表示部２１に画像が表示されている場合に通信速さ情報ＳＩを生成させてもよい。また、通信端末２は、他の装置からの通信を中継する場合に、通信速さ情報ＳＩを生成させてもよい。通信端末２は、表示部２１の液晶画面のバックライトが、消灯された状態から点灯された状態へと変化する際に、通信速さ情報ＳＩを生成させてもよい。具体的には、通信端末２の操作が制限されるロック画面の状態が解除され、通信端末２を操作するユーザが、表示部２１に表示される情報を閲覧できる状態に、通信端末２の状態が変化する際に、通信端末２は通信速さ情報ＳＩを生成させる。
【００６２】
また、上述した説明では、通信状態情報生成装置１０が通信網４に接続されるサーバの場合について説明したが、通信状態情報生成装置１０は、通信端末２及び基地局３が備えてもよい。
通信端末２が通信状態情報生成装置１０を備える場合には、通信端末２が基地局３と接続できない場合でも、通信端末２が生成する通信状態情報ＴＳＩに基づいて、通信速さ情報ＳＩを生成することができる。
基地局３が通信状態情報生成装置１０を備える場合には、通信網４が輻輳する場合でも、通信速さ情報ＳＩを生成することができる。
【００６３】
また、上述した説明では、通信状態情報記憶装置３１を基地局３が備える場合について説明したが、通信状態情報記憶装置３１は、通信端末２及び通信状態情報生成装置１０が備えてもよい。
【００６４】
また、通信状態情報生成装置１０は、通信速さ情報ＳＩを時間に幅を持たせた情報として生成してもよい。つまり、通信状態情報生成装置１０は、通信端末２が移動されず、同一の場所での通信の速さの変化を示す通信速さ情報ＳＩを生成してもよい。これにより、ユーザが外出先で快適に通信が継続して行える場所を探す手間を省くことができ、利便性を向上することができる。
【００６５】
＜第２の実施形態＞
ここまでは、通信状態情報生成装置は、端末位置情報ＰＩに基づいて通信速さ情報ＳＩを生成する構成について説明した。次に、図８を参照して、通信端末２が移動し、通信端末の位置が変化する第２の実施形態に係る通信状態情報生成装置について説明する。なお、第１の実施形態と同一の構成及び動作については、同一の符号を付してその説明を省略する。
図８は、第２の実施形態に係る通信状態情報生成装置１０ａの構成の一例を示す図である。
【００６６】
通信端末２ａは、表示部２１と、位置測定部２２と、加速度センサ２３とを備える。加速度センサ２３は、通信状態情報生成装置１０ａに対して、位置変化情報ＣＰＩを出力する。加速度センサ２３は、通信端末２ａの移動の速度を検出する。位置変化情報ＣＰＩとは、通信端末２ａの移動の速度を示す情報である。通信端末２ａの移動の速度とは、通信端末２ａの単位時間あたりの位置の変化量である。より具体的には、通信端末２ａの位置の変化とは、通信端末２ａの単位時間あたりの位置の緯度及び経度の変化量である。なお、加速度センサ２３が検出する位置の変化量は、位置測定部２２が検出する位置を定期的に記憶し、記憶した位置の差分に基づいて、算出されてもよい。
【００６７】
通信状態情報生成装置１０ａは、位置情報取得部１１と、通信状態情報取得部１２と、位置変化情報取得部１４と、速さ情報生成部１３ａとを備える。
位置変化情報取得部１４は、通信端末２ａが備える加速度センサ２３から、位置変化情報ＣＰＩを取得する。位置変化情報取得部１４は、通信端末２ａから取得した位置変化情報ＣＰＩを、速さ情報生成部１３ａに対して出力する。
【００６８】
速さ情報生成部１３ａは、位置情報取得部１１から端末位置情報ＰＩを取得する。速さ情報生成部１３ａは、通信状態情報取得部１２から通信状態情報ＴＳＩを取得する。速さ情報生成部１３ａは、位置変化情報取得部１４から位置変化情報ＣＰＩを取得する。速さ情報生成部１３ａは、端末位置情報ＰＩと、通信状態情報ＴＳＩと、位置変化情報ＣＰＩとに基づいて、通信速さ情報ＳＩａを生成する。速さ情報生成部１３ａが生成する通信速さ情報ＳＩａは、通信端末２ａの位置の変化に応じた通信の速さを示す情報である。
【００６９】
＜通信速さ情報ＳＩａについて＞
ここで、速さ情報生成部１３ａの処理の概要について、図９を参照して説明する。
図９は、速さ情報生成部１３ａが生成する通信速さ情報ＳＩａに基づいて生成される画像情報の一例を示す図である。
【００７０】
通信端末２ａは、位置ＰＯＳ１から位置ＰＯＳ２を経由し、位置ＰＯＳ３まで移動する電車の中に置かれる。言い換えると、通信端末２ａは、経路Ｒを移動する。通信端末２ａは、位置ＰＯＳ１に置かれた状態で、通信状態情報生成装置１０ａに対して通信速さ情報ＳＩａを生成させる。通信状態情報生成装置１０ａは、生成した通信速さ情報ＳＩａを、通信端末２ａに対して出力する。通信端末２ａは、通信速さ情報ＳＩａに基づいて、図９に示す地図上に通信速さアイコンＩＣＯＮ６、通信速さアイコンＩＣＯＮ７及び通信速さアイコンＩＣＯＮ８を配置させた画像情報を生成する。通信端末２ａは、生成した画像情報を表示部２１に表示させる。
【００７１】
具体的には、速さ情報生成部１３ａは、位置ＰＯＳ１に通信端末２ａがある時刻と、通信端末２ａから取得する位置変化情報ＣＰＩとに基づいて、通信端末２ａの位置の変化と時刻とを対応付けて推定する。速さ情報生成部１３ａは、推定した通信端末２ａの位置の変化と時刻とに基づいて、対応する位置の通信状態情報ＴＳＩの当該時刻の通信の速さを選択する。速さ情報生成部１３ａは、選択した通信の速さと、通信端末２ａの位置とを対応付けた通信速さ情報ＳＩａを生成する。速さ情報生成部１３ａは、生成した通信速さ情報ＳＩａを、通信端末２ａに対して出力する。
【００７２】
より具体的には、図９に示すように、速さ情報生成部１３ａは、経路Ｒ１は通信の速さが速い状態、経路Ｒ２は通信の速さが遅い状態、経路Ｒ３は通信の速さが遅くなる場合がある状態を示す通信速さ情報ＳＩａを生成する。
【００７３】
つまり、通信速さ情報ＳＩａとは、通信端末２ａの位置の変化を推定し、推定した位置に応じた通信速さ情報である。
【００７４】
＜通信状態情報生成装置１０ａの動作の概要＞
次に、図１０を参照して、通信状態情報生成装置１０ａの動作の概要について説明する。
図１０は、通信状態情報生成装置１０ａの動作の一例を示す図である。
【００７５】
位置情報取得部１１は、通信端末２ａが備える位置測定部２２から端末位置情報ＰＩを取得する（ステップＳ２１０）。位置情報取得部１１は、位置測定部２２から取得した端末位置情報ＰＩを速さ情報生成部１３ａに対して出力する。速さ情報生成部１３ａは、位置情報取得部１１から端末位置情報ＰＩを取得する。
【００７６】
位置変化情報取得部１４は、通信端末２ａが備える加速度センサ２３から位置変化情報ＣＰＩを取得する（ステップＳ２２０）。位置変化情報取得部１４は、加速度センサ２３から取得した位置変化情報ＣＰＩを、速さ情報生成部１３ａに対して出力する。
【００７７】
速さ情報生成部１３ａは、位置変化情報取得部１４から位置変化情報ＣＰＩを取得する。速さ情報生成部１３ａは、位置変化情報取得部１４から取得した位置変化情報ＣＰＩに基づいて、通信端末２ａの位置の変化を推定する。言い換えると、速さ情報生成部１３ａは、位置変化情報取得部１４から取得した位置変化情報ＣＰＩに基づいて、通信端末２ａが移動する経路を推定する（ステップＳ２３０）。
【００７８】
通信状態情報取得部１２は、通信状態情報記憶装置３１から通信状態情報ＴＳＩを取得する（ステップＳ２４０）。通信状態情報取得部１２は、通信状態情報記憶装置３１から取得した通信状態情報ＴＳＩを、速さ情報生成部１３ａに対して出力する。速さ情報生成部１３ａは、通信状態情報取得部１２から通信状態情報ＴＳＩを取得する。
【００７９】
速さ情報生成部１３ａは、推定した通信端末２ａの経路と、通信端末２ａが当該経路上に存在する時刻とに基づいて、通信速さ情報ＳＩａを生成する（ステップＳ２５０）。
【００８０】
速さ情報生成部１３ａは、通信速さ情報ＳＩａを、通信端末２ａに対して出力する（ステップＳ２６０）。
【００８１】
通信端末２ａは、速さ情報生成部１３ａが出力した通信速さ情報ＳＩａを取得する。通信端末２ａは、速さ情報生成部１３ａから取得した通信速さ情報ＳＩａに基づいて、画像情報を生成する。通信端末２ａは、生成した画像情報を表示部２１に表示させる。
【００８２】
＜第２の実施形態のまとめ＞
上述したように、通信状態情報生成装置１０ａは、位置変化情報取得部１４と、速さ情報生成部１３ａとを更に備える。通信状態情報生成装置１０ａは、通信端末２ａの位置の変化に応じた通信状態情報ＴＳＩに基づいて、通信速さ情報ＳＩａを生成する。通信状態情報生成装置１０ａは、通信端末２ａの位置の変化に応じた通信状態情報ＴＳＩを生成することができるため、通信端末２ａを操作するユーザが、乗り物等で移動中に変化する通信の状態の変化に併せた通信速さ情報ＳＩａを生成する。ユーザは、通信速さ情報ＳＩａに基づいて、通信する内容の計画を立てることができ、効率よく通信を行うことができる。
【００８３】
なお、通信状態情報取得部１２は、通信端末２ａの位置が屋内を示す場合には、通信端末２ａ内の情報を取得する。通信状態情報取得部１２は、通信端末２ａの位置が移動中を示す場合には、過去の統計情報を取得する。通信状態情報取得部１２は、通信端末２ａの位置が屋外を示す場合には、通信端末２ａが接続する基地局３の情報を取得する。つまり、通信状態情報取得部１２は上述した、通信端末２ａ内の情報、過去の統計情報及び通信端末２ａが接続する基地局３の情報のうち、少なくとも１つを取得する。
【００８４】
具体的には、通信状態情報生成装置１０ａは、位置測定部２２がＧＰＳの情報が取得できない場合には、通信端末２ａは屋内に置かれていると推定し、通信端末２ａ内の基地局３からのスケジューリング情報に基づいて通信速さ情報ＳＩを生成する。通信状態情報生成装置１０ａは、通信端末２ａが移動中を示す場合には、通信端末２ａと接続する基地局が通信端末２ａの移動に伴い頻繁に変わる場合があるため、基地局の現在の接続状況ではなく、基地局の過去の通信の状態である過去の統計情報に基づいて、通信速さ情報ＳＩａを生成する。通信状態情報生成装置１０ａは、通信端末２ａが屋外を示す場合には、通信端末２ａが接続する基地局３の現在の通信の状態に基づいて通信速さ情報ＳＩを生成する。
【００８５】
速さ情報生成部１３ａは、端末位置情報ＰＩと、通信状態情報取得部１２が取得する通信端末２ａ内の情報、過去の統計情報及び基地局３の情報のうち少なくとも１つとに基づいて、通信速さ情報ＳＩａを生成する。
【００８６】
通信状態情報生成装置１０ａは、通信端末２ａの置かれた位置や移動中であるか否かに応じて、通信速さ情報ＳＩａを生成する際に使用する通信状態情報ＴＳＩを変えることにより、より正確な通信速さ情報ＳＩａを生成することができる。
【００８７】
また、通信端末２ａは、通信速さ情報ＳＩａに基づいて、上述した図９に示すように地図や鉄道の路線図等の地理を示す情報と対応付けた位置に、通信速さアイコンＩＣＯＮを重ね合わせた画像情報を生成することができる。ユーザは、表示部２１に表示される地理を示す情報から、通信速さ情報ＳＩａを生成したい位置を指定することができる。通信状態情報生成装置１０ａは、ユーザによって指定された位置と対応する通信速さ情報ＳＩａを生成する。
【００８８】
具体的には、地理を示す情報には、ランドマークとなる場所、建物、及び駅等の情報が含まれる。ユーザは、例えば、通信端末２ａを操作して駅を指定する。通信端末２ａは、ユーザによって指定された駅の位置を示す端末位置情報ＰＩを、通信状態情報生成装置１０ａに対して出力する。通信状態情報生成装置１０ａは、通信端末２ａから駅の位置を示す端末位置情報ＰＩを取得する。通信状態情報生成装置１０ａは、当該端末位置情報ＰＩが示す駅と対応する通信状態情報に基づいて、通信速さ情報ＳＩａを生成し、通信端末２ａに対して出力する。通信端末２ａは、ユーザが指定した駅と対応する通信速さ情報ＳＩａを取得し、取得した通信速さ情報ＳＩａに基づいて、通信速さアイコンＩＣＯＮが含まれた画像情報を生成し、表示部２１に表示させることができる。
これにより、ユーザは、地理を示す情報等から所望する位置を指定し、所望する位置の通信の速さを知ることができる。
【００８９】
＜第３の実施形態＞
ここまでは、通信状態情報生成装置が通信速さ情報を生成する構成について説明した。次に、図１１を参照して、第３の実施形態に係る通信状態情報生成装置について説明する。
なお、上述した第１の実施形態及び第２の実施形態と同一の構成及び動作については、同一の符号を付してその説明を省略する。
【００９０】
図１１は、第３の実施形態に係る通信状態情報生成装置１０ｂの構成の一例を示す図である。
【００９１】
通信状態情報生成装置１０ｂは、位置情報取得部１１ｂと、通信状態情報取得部１２ｂと、速さ情報生成部１３ｂと、位置変化情報取得部１４と、速さ予測部１５とを備える。
位置情報取得部１１ｂは、通信端末２ａが備える位置測定部２２から端末位置情報ＰＩを取得する。位置情報取得部１１ｂは、通信端末２ａから取得した端末位置情報ＰＩを、速さ情報生成部１３ｂと、速さ予測部１５とに対して出力する。
【００９２】
通信状態情報取得部１２ｂは、通信状態情報記憶装置３１から通信状態情報ＴＳＩを取得する。本実施形態において、通信状態情報ＴＳＩには、更に、通信の速さの改善を示す、速さ改善情報が含まれる。通信の速さ改善情報とは、特定の位置と対応付けられた将来の通信の速さの改善の程度を示す情報である。具体的には、ある範囲の地域に、基地局が新設された場合、基地局が新設されたある地域は、基地局１つあたりに接続される通信端末が少なくなる。ある範囲の地域に存在する通信端末の数が、基地局の新設の前後で増えない場合には、基地局１つあたりに接続される通信端末が少なくなり、通信端末と基地局との通信の速さは早くなる。つまり、基地局が新設されることにより、当該基地局に接続する通信端末の通信の速さが改善される。通信の速さ改善情報とは、上述した通信の速さの改善を考慮した情報である。
【００９３】
通信状態情報取得部１２ｂは、通信状態情報記憶装置３１から取得した通信状態情報ＴＳＩを、速さ情報生成部１３ｂと、速さ予測部１５とに対して出力する。
【００９４】
速さ情報生成部１３ｂは、位置情報取得部１１ｂから端末位置情報ＰＩを取得する。速さ情報生成部１３ｂは、位置変化情報取得部１４から位置変化情報ＣＰＩを取得する。速さ情報生成部１３ｂは、通信状態情報取得部１２ｂから通信状態情報ＴＳＩを取得する。速さ情報生成部１３ｂは、端末位置情報ＰＩと、位置変化情報ＣＰＩと、通信状態情報ＴＳＩとに基づいて、通信速さ情報ＳＩａを生成する。速さ情報生成部１３ｂは、生成した通信速さ情報ＳＩａを、速さ予測部１５に対して出力する。
【００９５】
速さ予測部１５は、位置情報取得部１１ｂから端末位置情報ＰＩを取得する。速さ予測部１５は、通信状態情報取得部１２ｂから通信状態情報ＴＳＩを取得する。速さ予測部１５は、速さ情報生成部１３ｂから通信速さ情報ＳＩａを取得する。速さ予測部１５は、位置情報取得部１１ｂから取得した端末位置情報ＰＩと、通信状態情報取得部１２ｂが取得した通信状態情報ＴＳＩとに基づいて、端末位置情報ＰＩと対応する通信の速さ改善情報を選択する。速さ予測部１５は、通信速さ情報ＳＩａと、選択した速さ改善情報とに基づいて、速さ予測情報ＦＳＩを生成する。速さ予測情報ＦＳＩとは、通信の速さが改善する予定があることを示す情報である。具体的には、速さ予測情報ＦＳＩとは、通信端末２ａが接続する基地局が増設される場合や、通信端末２ａが接続する基地局が収容する通信端末の台数が増える等の改善が見込まれる場合に、当該改善を考慮した通信の状態を示す情報である。速さ予測部１５は、生成した速さ予測情報ＦＳＩを、通信端末２ａに対して出力する。
【００９６】
通信端末２ａは、速さ予測部１５から速さ予測情報ＦＳＩを取得する。通信端末２ａは、速さ予測部１５から取得した速さ予測情報ＦＳＩに基づいて、画像情報を生成する。通信端末２ａが生成する画像情報には、現在の通信速さ情報ＳＩａに基づく通信速さアイコンＩＣＯＮと、改善予定の日付等の情報と共に速さ予測情報ＦＳＩに基づく通信速さアイコンＩＣＯＮとが含まれる。通信端末２ａは、画像情報を表示部２１に表示させる。
【００９７】
＜第３の実施形態のまとめ＞
以上説明したように、通信状態情報生成装置１０ｂは、位置情報取得部１１ｂと、通信状態情報取得部１２ｂと、速さ情報生成部１３ｂと、速さ予測部１５とを備える。通信状態情報ＴＳＩには、将来の通信の速さの改善を示す、速さ改善情報が含まれるため、速さ予測部１５は、将来の通信の速さの改善を考慮した速さを予測した速さ予測情報ＦＳＩを生成する。通信状態情報生成装置１０ｂは、生成した速さ予測情報ＦＳＩを、通信端末２ａに対して出力し、ユーザに対して通信の速さが改善する予定を通知することができる。
【００９８】
なお、上記の各実施形態における通信状態情報生成装置１０、通信状態情報生成装置１０ａ及び通信状態情報生成装置１０ｂが備える各部は、専用のハードウェアにより実現されるものであってもよく、また、メモリおよびマイクロプロセッサにより実現させるものであってもよい。
【００９９】
なお、通信状態情報生成装置１０、通信状態情報生成装置１０ａ及び通信状態情報生成装置１０ｂが備える各部は、メモリおよびＣＰＵ（中央演算装置）により構成され、通信状態情報生成装置１０、通信状態情報生成装置１０ａ及び通信状態情報生成装置１０ｂが備える各部の機能を実現するためのプログラムをメモリにロードして実行することによりその機能を実現させるものであってもよい。
【０１００】
また、通信状態情報生成装置１０、通信状態情報生成装置１０ａ及び通信状態情報生成装置１０ｂが備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【０１０１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１０２】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【０１０３】
２，２ａ…通信端末、３…基地局、４…通信網、５…サーバ、１０，１０ａ，１０ｂ…通信状態情報生成装置、１１，１１ｂ…位置情報取得部、１２，１２ｂ…通信状態情報取得部、１３，１３ａ，１３ｂ…速さ情報生成部、１４…位置変化情報取得部、１５…速さ予測部、２１…表示部、２２…位置測定部、２３…加速度センサ、３１…通信状態情報記憶装置、１００…通信状態情報生成システム
【図１】
2018056936.tif 000003
【図２】
2018056936.tif 000004
【図３】
2018056936.tif 000005
【図４】
2018056936.tif 000006
【図５】
2018056936.tif 000007
【図６】
2018056936.tif 000008
【図７】
2018056936.tif 000009
【図８】
2018056936.tif 000010
【図９】
2018056936.tif 000011
【図１０】
2018056936.tif 000012
【図１１】
2018056936.tif 000013